(57)【要約】【課題】操作ボタンに直接手を触れずにエレベータシステムを制御することを可能とすることである。【解決手段】エレベータシステム１０において、乗りかご２を操作するための操作ボタンが設けられた乗りかご操作盤８の表面部を少なくとも覆う無端状のシート部材８５と、消毒液が含浸されるフェルト部材であって、乗りかご操作盤８の裏面部側に設けられ、シート部材８５の平面部分を消毒するフェルト部材と、シート部材８５を周方向に回転させる回転機構と、を備える。【選択図】図１
2011116524.tif 000002
【特許請求の範囲】
【請求項１】
乗りかごを操作するための操作ボタンが設けられた乗りかご操作盤の表面部を少なくとも覆う無端状のシート部材と、
消毒液が含浸されるフェルト部材であって、乗りかご操作盤の裏面部側に設けられ、シート部材の平面部分を消毒するフェルト部材と、
シート部材を周方向に回転させる回転機構と、
を備えることを特徴とするエレベータシステム。
【請求項２】
請求項１に記載のエレベータシステムにおいて、
回転機構は、
乗りかごが行先階に到着したときに、シート部材を回転させる手段を含むことを特徴とするエレベータシステム。
【請求項３】
請求項１に記載のエレベータシステムにおいて、
回転機構は、
乗客の所有する身分証明書に記録された情報が、予め登録された乗客情報と一致するか否かを判断する手段と、
乗客の所有する身分証明書に記録された情報が、予め登録された乗客情報と一致すると判断した場合に、シート部材を回転させる手段と、
を含むことを特徴とするエレベータシステム。
【請求項４】
請求項１に記載のエレベータシステムにおいて、
回転機構は、
乗客が設定した行先階がシート部材を消毒する必要がある行先階であるか否かを判断する手段と、
行先階がシート部材を消毒する必要がある行先階であると判断された場合にはシート部材を回転させる手段と、
行先階がシート部材を消毒する必要がない行先階であると判断された場合にはシート部材を回転させない手段と、
を含むことを特徴とするエレベータシステム。
【請求項５】
請求項１に記載のエレベータシステムにおいて、
乗りかごに設けられ、赤外線によって乗りかご内にいる乗客の体温を取得する体温取得部を備え、
回転機構は、
体温取得部によって取得された乗客の体温が所定以上の温度であるか否かを判断する手段と、
体温取得部によって取得された乗客の体温が所定以上の温度であると判断された場合にシート部材を回転させる手段を含むことを特徴とするエレベータシステム。
【発明の詳細な説明】
【技術分野】
【０００１】
本発明は、エレベータシステムに係り、特に、乗りかごの操作を行うための操作ボタンが設けられたエレベータシステムに関する。
【背景技術】
【０００２】
現在、商業施設や病院等の種々の場所において、エレベータシステムが設置されている。最近、新型インフルエンザの流行等といった事情もあり、エレベータシステムを利用するお客様等から操作ボタンに直接触れないでエレベータを操作したい等といった要望がある。本発明に関連する技術として、例えば、特許文献１には、エレベータの制御装置として、エレベータのかご内に設置され、乗客の眼球の虹彩を検出するかご内虹彩検出装置と、かご呼び登録を許可する乗客の許可虹彩データを格納する許可虹彩データ格納装置と、上記かご内虹彩検出装置で検出された検出虹彩データと、上記許可虹彩データとを照合する虹彩照合装置と、上記虹彩照合装置による照合の結果、上記検出虹彩データと上記許可虹彩データとが一致した場合にかご呼び登録を行うかご呼び登録装置と、上記かご呼び登録装置に登録されたかご呼びに応答して、上記エレベータの運転を制御する運転制御装置と、を備えた構成が開示されている。
【先行技術文献】
【特許文献】
【０００３】
【特許文献１】特開２００４−３１５１２７号公報
【発明の概要】
【発明が解決しようとする課題】
【０００４】
上記特許文献１の構成を用いることで、操作ボタンに直接手を触れずにエレベータシステムを運転することができる。しかし、上記特許文献１の構成では、乗客（お客様）の眼球の虹彩を検出する必要があり、乗客（お客様）によっては眼球の虹彩を検出されることに対して抵抗を感じる場合もあり、また、予め乗客（お客様）の眼球の虹彩データを個々に登録する必要がある。
【０００５】
本発明の目的は、別の構成で操作ボタンに直接手を触れずにエレベータシステムを制御することを可能とすることである。
【課題を解決するための手段】
【０００６】
本発明に係るエレベータシステムは、乗りかごを操作するための操作ボタンが設けられた乗りかご操作盤の表面部を少なくとも覆う無端状のシート部材と、消毒液が含浸されるフェルト部材であって、乗りかご操作盤の裏面部側に設けられ、シート部材の平面部分を消毒するフェルト部材と、シート部材を周方向に回転させる回転機構と、を備えることを特徴とする。
【０００７】
また、本発明に係るエレベータシステムにおいて、回転機構は、乗りかごが行先階に到着したときに、シート部材を回転させる手段を含むことが好ましい。
【０００８】
また、本発明に係るエレベータシステムにおいて、回転機構は、乗客の所有する身分証明書に記録された情報が、予め登録された乗客情報と一致するか否かを判断する手段と、乗客の所有する身分証明書に記録された情報が、予め登録された乗客情報と一致すると判断した場合に、シート部材を回転させる手段と、を含むことが好ましい。
【０００９】
また、本発明に係るエレベータシステムにおいて、回転機構は、乗客が設定した行先階がシート部材を消毒する必要がある行先階であるか否かを判断する手段と、行先階がシート部材を消毒する必要がある行先階であると判断された場合にはシート部材を回転させる手段と、行先階がシート部材を消毒する必要がない行先階であると判断された場合にはシート部材を回転させない手段と、を含むことが好ましい。
【００１０】
また、本発明に係るエレベータシステムにおいて、乗りかごに設けられ、赤外線によって乗りかご内にいる乗客の体温を取得する体温取得部を備え、回転機構は、体温取得部によって取得された乗客の体温が所定以上の温度であるか否かを判断する手段と、体温取得部によって取得された乗客の体温が所定以上の温度であると判断された場合にシート部材を回転させる手段を含むことが好ましい。
【発明の効果】
【００１１】
上記構成のエレベータシステムによれば、乗りかごの操作ボタンが設けられた乗りかご操作盤の表面部はシート部材によって覆われており、そして、そのシート部材は、回転機構によって回転させられたときに、フェルト部材に設けられた消毒液によって消毒される。これにより、乗客は消毒液によって消毒されたシート部材を介して操作ボタンを操作することができる。したがって、乗客は操作ボタンに直接手を触れずにエレベータシステムを制御することができる。
【００１２】
上記乗りかごが行先階に到着したときに、シート部材を回転させる手段を有するエレベータシステムによれば、風邪等の細菌等を有する乗客が操作ボタンを操作して乗りかごの行先階を設定した場合であっても、乗りかごが行先階に到着したときにシート部材を消毒するため、その後で行先階を設定しようとする乗客は消毒されたシート部材を介して行先階を設定することができるため、操作ボタンを操作する際に風邪等の細菌等の感染を防止することができる。
【００１３】
上記乗客の所有する身分証明書に記録された情報が、予め登録された乗客情報と一致すると判断した場合に、シート部材を回転させる手段を有するエレベータシステムによれば、予め登録された乗客情報が記録された身分証明書を所有する乗客であれば、必要なタイミングでシート部材を消毒して、操作ボタンを操作する際に風邪等の細菌等の感染を防止することができる。
【００１４】
上記行先階がシート部材を消毒させる必要がある行先階であると判断された場合にシート部材を回転させる手段を有するエレベータシステムによれば、必要がある場合にのみシート部材を消毒させるため、不必要にシート部材の回転を行うことはない。したがって、エレベータシステムにおいて不必要な消費電力を抑制することができる。
【００１５】
上記乗客の体温が所定以上の温度であると判断された場合にシート部材を回転させる手段を有するエレベータシステムによれば、風邪等の細菌等を有している乗客が乗りかご操作盤を操作する可能性があるとして、シート部材を消毒する。したがって、より好適に乗りかご操作盤の操作ボタンを介して風邪等の細菌等が感染してしまうことを防止することができる。
【図面の簡単な説明】
【００１６】
【図１】本発明に係る実施の形態において、エレベータシステムの乗りかご内の様子を示す図である。
【図２】図１のＡ−Ａ線断面図であり、エレベータシステムの乗りかご操作盤の要素を説明するための図（開ボタンは省略）である。
【図３】本発明に係る実施の形態において、エレベータシステムにおいて、必要に応じてシート部材を回転させる手順を示すフローチャートである。
【図４】本発明に係る実施の形態の第１変形例において、エレベータシステムの乗りかご内の様子を示す図である。
【図５】本発明に係る実施の形態の第１変形例において、エレベータシステムにおいて、必要に応じてシート部材を回転させる手順を示すフローチャートである。
【図６】本発明に係る実施の形態の第２変形例において、エレベータシステムの乗りかご内の様子を示す図である。
【図７】本発明に係る実施の形態の第２変形例において、エレベータシステムにおいて、必要に応じてシート部材を回転させる手順を示すフローチャートである。
【図８】本発明に係る実施の形態の第３変形例において、エレベータシステムの乗りかご内の様子を示す図である。
【図９】本発明に係る実施の形態の第３変形例において、エレベータシステムにおいて、必要に応じてシート部材を回転させる手順を示すフローチャートである。
【発明を実施するための形態】
【００１７】
以下に、本発明に係る実施の形態について添付図面を参照しながら詳細に説明する。また、以下では、全ての図面において同様の要素には同一の符号を付し、重複する説明を省略する。また、本文中の説明においては、必要に応じそれ以前に述べた符号を用いるものとする。
【００１８】
図１は、エレベータシステム１０の乗りかご２内の様子を示す図である。図２は、図１のＡ−Ａ線断面図であり、エレベータシステム１０の乗りかご操作盤８の要素を説明するための図（開ボタン８３６は省略）である。エレベータシステム１０は、乗りかご２を移動させるために主ロープ７を巻き上げる巻上機（図示せず）等が昇降路の最下部であるいわゆるピット内に設置されている。乗りかご２は、乗客４を行き先階まで移動させるためのものであって、乗りかご操作盤８と、乗りかご扉６とを含んで構成される。
【００１９】
乗りかご扉６は、乗りかご２が乗客４によって設定された行先階に到着したときに開閉する両開き、あるいは、片開き扉である。
【００２０】
乗りかご操作盤８は、表示パネル８４と、操作ボタン部８３と、シート部材８５と、フェルト部材８７と、回転駆動部８６と、制御部９０とを含んで構成される。ここで、回転駆動部８６と制御部９０とをあわせて回転機構と呼ぶ。表示パネル８４は、乗りかご２が移動しているときに、乗りかご２が現在位置している階床を表示する機能を有する。
【００２１】
操作ボタン部８３は、乗りかご２の行先階を設定する、あるいは、乗りかご扉６の開閉を行うための操作ボタンである。操作ボタン部８３は、１階設定ボタン８３０と、２階設定ボタン８３２と、３階設定ボタン８３４と、開ボタン８３６と、閉ボタン８３８とを含んで構成される。
【００２２】
１階設定ボタン８３０は、乗りかご２の行先階を１階に設定するための操作ボタンである。２階設定ボタン８３２は、乗りかご２の行先階を２階に設定するための操作ボタンである。３階設定ボタン８３４は、乗りかご２の行先階を３階に設定するための操作ボタンである。開ボタン８３６は、乗りかご扉６を開制御するための操作ボタンである。閉ボタン８３８は、乗りかご扉６を閉制御するための操作ボタンである。
【００２３】
シート部材８５は、乗りかご操作盤８の表面側において１階設定ボタン８３０と、２階設定ボタン８３２と、３階設定ボタン８３４と、開ボタン８３６と、閉ボタン８３８とが設けられる領域である表面部８１を少なくとも覆っている無端状のフィルムシートである。シート部材８５の表面部８１における幅と長さは、表面部８１を覆うために必要な長さであり、それぞれ幅Ｗと長さＬとを有している。
【００２４】
フェルト部材８７は、十分な殺菌作用を有する消毒液が含浸されたフェルトであり、乗りかご操作盤８の裏面部８２側において、シート部材８５の平面部分を両側から挟持するように設けられている。
【００２５】
回転駆動部８６は、乗りかご操作盤８の裏面部８２側において、シート部材８５の内側平面に摺接して設けられる。そして、回転駆動部８６は、制御部９０の制御によって回転し、この回転によってシート部材８５は矢印Ｂに動き、フェルト部材８７によって消毒されたシート部材８５の平面部分が表面部８１側に送り出される。
【００２６】
制御部９０は、エレベータシステム１０全般を制御する機能を有する。制御部９０は、乗りかご２が昇降動作を行っているか否かを判断し、乗りかご２が昇降動作を行っていると判断した場合において、乗りかご２が行先階に到着したときに、シート部材８５を周方向に一回転させるように回転駆動部８６に指令を与える機能を有する。
【００２７】
続いて、上記構成のエレベータシステム１０の動作について、図１〜図３を用いて説明する。図３は、エレベータシステム１０において、必要に応じてシート部材８５を回転させる手順を示すフローチャートである。まず、エレベータシステム１０において制御部９０は、乗りかご２が昇降している状態であるか否かを判断する（Ｓ１０）。Ｓ１０において、乗りかご２が昇降中でないと判断されれば、再びＳ１０へと戻る。
【００２８】
Ｓ１０において、乗りかご２が昇降中であると判断されれば、乗りかご２が行先階に到着したか否かが判断される（Ｓ１２）。Ｓ１２において、乗りかご２が行先階に到着していないと判断された場合には、再びＳ１２へと戻る。
【００２９】
Ｓ１２において、乗りかご２が行先階に到着していると判断されれば、シート部材８５を一回転させるように回転駆動部８６に指令を与える（Ｓ１４）。その後、リターン処理へと進む。このように、エレベータシステム１０によれば、乗客４が乗りかご２に乗車して、操作ボタンを操作して所望の行先階を設定した場合において、乗りかご２が行先階に到着したときに、シート部材８５が一回転する。これにより、例えば、その乗客４が風邪を引いていて、操作ボタンを操作した際に細菌等が付着した場合であっても、乗りかご２が行先階に到着した際にシート部材８５が回転し、シート部材８５の平面部分が消毒液のしみこんだフェルト部材８７と摺動するため、消毒済みのシート部材８５の平面部分が乗りかご操作盤８の表面部８１に送り出される。したがって、乗りかご２に乗り込んだ乗客４は、直接操作ボタンに触れることなく、さらに消毒されたシート部材８５を用いて乗りかご２の操作を行うことができるため、エレベータシステム１０の操作ボタンを介して風邪等の細菌等が感染してしまうことを防止することができる。
【００３０】
次に、エレベータシステム１０の第１変形例であるエレベータシステム１１について説明する。図４は、エレベータシステム１１の乗りかご２内の様子を示す図である。エレベータシステム１１とエレベータシステム１０との相違は、ＩＤ情報取得部８８と、制御部９０であるため、その相違点を中心に説明する。
【００３１】
ＩＤ情報取得部８８は、乗客４が所有するＩＤ（身分証明書）カード５に記録された情報を無線通信によって取得する機能を有する。そして、ＩＤ情報取得部８８によって取得された乗客４に関する情報は、制御部９０に送信される。
【００３２】
制御部９０は、エレベータシステム１１全般を制御する機能を有する。そして、制御部９０は、ＩＤ情報取得部８８から送信されてきた乗客４のＩＤカード５に記録された乗客情報が、予め登録された情報と一致するか否かを判断する機能を有する。さらに、制御部９０は、ＩＤカード５に記録された情報が予め登録された情報と一致すれば、シート部材８５を一回転させるように回転駆動部８６に指令を与える機能を有する。
【００３３】
上記構成のエレベータシステム１１の動作について図４，５を用いて説明する。図５は、エレベータシステム１１において、必要に応じてシート部材８５を回転させる手順を示すフローチャートである。エレベータシステム１１の制御部９０は、ＩＤ情報取得部８８から送信されてきた乗客４のＩＤカード５に記録された情報が予め登録された情報と一致するか否かを判断する（Ｓ２０）。ＩＤカード５に記録された情報が予め登録された情報と一致しないと判断されれば、再びＳ２０へと戻る。
【００３４】
Ｓ２０において、ＩＤカード５に記録された情報が予め登録された情報と一致すると判断されれば、シート部材８５を一回転させるように回転駆動部８６に指令を与える（Ｓ２２）。その後、リターン処理へと進む。このように、エレベータシステム１１によれば、予め登録された情報が記録されたＩＤカード５を有する乗客４であれば、シート部材８５を消毒させたい場合に、ＩＤカード５の情報をＩＤ情報取得部８８に取得させるだけで必要に応じてシート部材８５の消毒をさせることができる。したがって、例えば、乗客４が医師・看護婦等といった病院関係者である場合に、ＩＤカード５の情報を制御部９０に登録しておくことで、必要に応じてシート部材８５を消毒させることができるため、乗りかご２の操作ボタンを操作する際に風邪等の細菌等の感染をより好適に防止することができる。
【００３５】
次に、エレベータシステム１０の第２変形例であるエレベータシステム１２について説明する。図６は、エレベータシステム１２の乗りかご２内の様子を示す図である。エレベータシステム１２とエレベータシステム１０の相違は、制御部９０のみであるため、その相違点を中心に説明する。
【００３６】
制御部９０は、エレベータシステム１２全般を制御する機能を有する。そして、制御部９０は、乗客４によって操作された操作ボタンが行先階設定ボタン（１階設定ボタン８３０、２階設定ボタン８３２、３階設定ボタン８３４）であるか否かを判断する。また、制御部９０は、操作された操作ボタンが行先階設定ボタンであると判断された場合には、シート部材８５を消毒する必要がある行先階か否かを判断する。さらに、制御部９０は、シート部材８５を消毒する必要がある行先階であると判断した場合には、シート部材８５を一回転させるように回転駆動部８６に指令を与え、シート部材８５を消毒する必要がない行先階であると判断した場合にはシート部材８５を回転させないため、回転駆動部８６に回転指令を与えない。
【００３７】
続いて、エレベータシステム１２の動作について図６，７を用いて説明する。図７は、エレベータシステム１２において、必要に応じてシート部材８５を回転させる手順を示すフローチャートである。まず、エレベータシステム１２の制御部９０は、乗客４によって行先階設定ボタンが操作され、行先階が設定されたか否かを判断する（Ｓ３０）。Ｓ３０において、行先階が設定されていないと判断されれば、再びＳ３０へと戻る。
【００３８】
Ｓ３０において、行先階が設定されたと判断されれば、乗客４が操作ボタンを操作することによって設定した行先階がシート部材８５を消毒する必要がある設定階であるか否かを判断する（Ｓ３２）。Ｓ３２において、消毒が必要でない行先階であると判断されれば、シート部材８５を回転させることなく、換言すればシート部材８５を消毒することなく、リターン処理へと進む。
【００３９】
Ｓ３２において、消毒が必要な行先階であると判断されれば、シート部材８５を一回転させるように回転駆動部８６に指令を与える（Ｓ３４）。このように、エレベータシステム１２によれば、乗客４が操作ボタンによって行先階を設定した場合であっても、その行先階が消毒をすることが必要な行先階であるか否かによってシート部材８５を消毒するか否かを判断することができる。したがって、例えば、エレベータシステム１２が設置される病院において、１階が整形外科で、２階が内科病棟で、３階が外科病棟である場合には、風邪等の細菌等を有する患者が１階と３階には行く可能性がないと判断し、シート部材８５を消毒する必要がない階として設定でき、一方、２階には患者が行く可能性があると判断し、２階を設定された場合だけシート部材８５を消毒するようにすることができる。これにより、必要がある場合にはシート部材８５の消毒を行って風邪等の細菌等の感染を帽子できるとともに、必要がない場合にまでシート部材８５の回転をさせる必要がないため、エレベータシステム１２の電力消費を抑制することができる。
【００４０】
次に、エレベータシステム１０の第３変形例であるエレベータシステム１３について説明する。図８は、エレベータシステム１３の乗りかご２内の様子を示す図である。エレベータシステム１３とエレベータシステム１０の相違点は、赤外線カメラ部８９と制御部９０であるため、その相違点を中心に説明する。
【００４１】
赤外線カメラ部８９は、乗りかご２内にいる乗客４を赤外線によって撮影するカメラである。そして、赤外線カメラ部８９は、赤外線を用いて乗りかご２内にいる乗客４の体温を解析し、その解析結果を体温情報として、制御部９０に送信する機能を有する。
【００４２】
制御部９０は、エレベータシステム１３全般を制御する機能を有する。制御部９０は、赤外線カメラ部８９から送信された乗客４の体温情報が所定の温度（例えば、３７．５℃）以上であるか否かを判断する機能を有する。そして、制御部９０は、乗客４の体温が所定の温度（例えば、３７．５℃）以上であると判断すれば、シート部材８５を一回転させる機能を有する。
【００４３】
続いて、エレベータシステム１３の動作について図８，９を用いて説明する。図９は、エレベータシステム１３において、必要に応じてシート部材８５を回転させる手順を示すフローチャートである。まず、エレベータシステム１３において、赤外線カメラ部８９から送信された乗客４の体温が３７．５℃以上であるか否かを判断する（Ｓ４０）。Ｓ４０において、乗客４の体温が３７．５℃以上でないと判断されれば、再びＳ４０へと戻る。
【００４４】
Ｓ４０において、乗客４の体温が３７．５℃以上であると判断されれば、シート部材８５を一回転させるように回転駆動部８６に指令を与える（Ｓ４２）。このようにエレベータシステム１３によれば、乗りかご２に乗車してきた乗客４の体温が３７．５℃以上であるといった比較的高熱である場合に、風邪等の細菌等を有する者である可能性があるとして、乗りかご２が行先階に到着したときに、シート部材８５を一回転させるため、乗りかご２内を操作する操作ボタンを介して風邪等の細菌等が感染してしまうことを防止することができる。なお、上記のようにエレベータシステム１３において、乗りかご２が行先階に到着したときにシート部材８５を一回転させるものとして説明したが、操作ボタンが操作されたことに同期して一回転させるものであってもよい。
【符号の説明】
【００４５】
４  乗客、５  ＩＤカード、６  乗りかご扉、７  主ロープ、８  乗りかご操作盤、１０，１１，１２，１３  エレベータシステム、８１  表面部、８２  裏面部、８３  操作ボタン部、８４  表示パネル、８５  シート部材、８６  回転駆動部、８７  フェルト部材、８８  情報取得部、８９  赤外線カメラ部、９０  制御部、８３０  １階設定ボタン、８３２  ２階設定ボタン、８３４  ３階設定ボタン、８３６  開ボタン、８３８  閉ボタン。
【図１】
2011116524.tif 000003
【図２】
2011116524.tif 000004
【図３】
2011116524.tif 000005
【図４】
2011116524.tif 000006
【図５】
2011116524.tif 000007
【図６】
2011116524.tif 000008
【図７】
2011116524.tif 000009
【図８】
2011116524.tif 000010
【図９】
2011116524.tif 000011